(57)【要約】      （修正有）【課題】高濃度パルパー内で原材料からパルプ生成まで行えるパルプ製造装置等を提供するとともに、ヤシ科植物を原料とし、大気圧雰囲気中で、従来より低い温度環境下でパルプ生成を行うことができる、パルプ製造装置等を提供する。【解決手段】硝酸を含む薬液及び苛性ソーダを含む薬液を、この順番でタンク本体１０に供給する薬液供給装置２０と、タンク本体１０に満たされた前記硝酸を含む薬液及び前記苛性ソーダを含む薬液の温度を複数段階に制御する液温度制御装置３０と、タンク本体に供給された原材料と前記苛性ソーダを含む薬液に渦流を生成する渦流生成装置４０と、前記硝酸を含む薬液及び前記苛性ソーダを含む薬液を次行程で投入する前に、前記硝酸を含む薬液及び前記苛性ソーダを含む薬液のいずれかを排出する薬液排出装置５０とを備える。【選択図】図１
2011001677.tif 000002
【特許請求の範囲】
【請求項１】
硝酸を含む薬液及び苛性ソーダを含む薬液を、この順番でタンク本体に供給する薬液供給装置と、
前記タンク本体に設けられ、該タンク本体に満たされた前記硝酸を含む薬液及び前記苛性ソーダを含む薬液の温度を複数段階に制御する液温度制御装置と、
前記タンク本体に設けられ、該タンク本体に供給された原材料と前記苛性ソーダを含む薬液に渦流を生成する渦流生成装置と、
前記タンク本体の底部近傍に設けられ、次工程処理で使用する前記硝酸を含む薬液及び前記苛性ソーダを含む薬液のいずれかを前記タンク本体に投入する前に、前記タンク本体にすでに供給されている前工程処理で使用した前記硝酸を含む薬液及び前記苛性ソーダを含む薬液のいずれかを排出する薬液排出装置と、
を備え、
前記タンク本体において、前記硝酸を含む薬液及び前記苛性ソーダを含む薬液による各製造工程をバッチ処理により行い、前記タンク本体内において前記原材料をパルプ化することを特徴とするパルプ製造装置。
【請求項２】
前記タンク本体に設けられ、前記タンク本体内で発生したガスを回収し、再利用するガス回収装置と、を更に備えることを特徴とする、
請求項１に記載のパルプ製造装置。
【請求項３】
前記薬液排出装置には、前記硝酸を含む薬液及び前記苛性ソーダを含む薬液を通過させるが、前記原材料又は生成されたパルプを通過させないストレーナが更に設けられていることを特徴とする、
請求項１又は２に記載のパルプ製造装置。
【請求項４】
前記ストレーナの穴径は、１．５ｍｍ以上であることを特徴とする、
請求項３に記載のパルプ製造装置。
【請求項５】
前記ストレーナの穴径は、１０ｍｍ以下であることを特徴とする、
請求項４に記載のパルプ製造装置。
【請求項６】
前記薬液排出装置により排出された前記硝酸を含む薬液及び前記苛性ソーダを含む薬液を、一時的に貯留する貯留タンクと、
前記貯留タンクに貯留した前記硝酸を含む薬液及び前記苛性ソーダを含む薬液に含まれる異物を除去する異物除去装置と、
前記異物を取り除いた後の前記硝酸を含む薬液及び前記苛性ソーダを含む薬液を、前記タンク本体に再供給する、再利用液供給装置と、
を更に備えることを特徴とする、
請求項１乃至５のいずれか１項に記載のパルプ製造装置。
【請求項７】
前記タンク本体に設けられ、前記生成されたパルプを前記硝酸を含む薬液及び前記苛性ソーダを含む薬液と分けて排出するパルプ排出用ストレーナがさらに設けられていることを特徴とする、
請求項１乃至６のいずれか１項に記載のパルプ製造装置。
【請求項８】
前記原材料は、アオイ科フヨウ属の植物、アサ科アサ属の植物、バショウ科バショウ属の植物、その他の非木材の植物であることを特徴とする、
請求項１乃至７のいずれか１項に記載のパルプ製造装置。
【請求項９】
前記原材料は、禾本科植物であることを特徴とする、
請求項１乃至８のいずれか１項に記載のパルプ製造装置。
【請求項１０】
前記禾本科植物は、単子葉植物ヤシ科の植物、麦藁又はイネ科サトウキビ属の植物であることを特徴とする、
請求項９に記載のパルプ製造装置。
【請求項１１】
タンク本体に、硝酸を含む薬液を供給して原材料に浸透させ、該原材料を多孔質化する酸化工程と、
前記硝酸を含む薬液を排出した後、前記タンク本体に、苛性ソーダを含む薬液を供給して前記原材料に浸透させてリグニンを分解するとともに、渦流によって前記原材料同士を接触させることで、多孔質化された前記原材料を解きほぐす蒸解工程と、
を少なくとも備えることを特徴とするパルプ製造方法。
【請求項１２】
前記苛性ソーダを含む薬液を排出した後、前記タンク本体に、苛性ソーダを含む他の薬液を供給して前記原材料の蒸解を促進し、残存リグニンを抽出するとともに、渦流によって前記原材料同士を接触させることで、多孔質化された前記原材料を解きほぐす第２蒸解工程を、更に備えることを特徴とする、
請求項１１に記載のパルプ製造方法。
【請求項１３】
単子葉植物ヤシ科の植物を破砕及び選別して繊維状チップを取り出して、前記タンク本体に供給する為の前記原材料を生成する破砕工程を、更に備えることを特徴とする、
請求項１１又は１２に記載のパルプ製造方法。
【請求項１４】
少なくとも前記酸化工程及び前記蒸解工程は、大気圧雰囲気中で行われることを特徴とする、
請求項１１に記載のパルプ製造方法。
【請求項１５】
少なくとも前記酸化工程及び前記蒸解工程は、１０５℃以下の温度下で行われることを特徴とする、
請求項１１又は１４に記載のパルプ製造方法。
【請求項１６】
前記蒸解工程は、前記タンク本体の中で生成されるパルプの濃度が２〜２０％となるように、前記タンク本体に供給された前記原材料及び前記苛性ソーダを含む薬液の中で、渦流によって前記原材料同士を接触させることで、リグニンを分解して多孔質化された前記原材料を解きほぐすことを特徴とする、
請求項１１乃至１５のいずれか１項に記載のパルプ製造方法。
【請求項１７】
パルプを生成する原材料及び該原材料に浸透させる薬液を投入するタンク本体と、
前記原材料に浸透させた前記薬液から発生するガスを回収するガス回収装置と、
前記原材料に浸透させた前記薬液の温度を複数段階で制御する液温度制御装置と、
反応済みの薬液を排出するための薬液排出装置と、
前記原材料と前記薬液に渦流をおこす渦流生成装置と、
生成されたパルプを排出するためのパルプ排出用ストレーナと、
を備えることを特徴とする高濃度パルパー。
【発明の詳細な説明】
【技術分野】
【０００１】
本発明は、パルプの製造に関し、特に、油ヤシに代表されるヤシ科植物の樹幹や空果房からパルプを効率的に生成できるパルプ製造装置、パルプ製造方法及び高濃度パルパーに関する。
【背景技術】
【０００２】
従来、木材などから化学パルプを製造する方法として、クラフト法（ＫＰ法）とサルファイト法（ＳＰ法）が広く知られている。
【発明の概要】
【発明が解決しようとする課題】
【０００３】
しかしながら、上述したクラフト法（ＫＰ法）及びサルファイト法（ＳＰ法）は、いずれも高圧下（例えば、５〜８気圧）、且つクラフト法（ＫＰ法）では１５０〜１７０℃（１〜２時間）、サルファイト法（ＳＰ法）では１２０〜１３０℃（７〜８時間）の環境下で蒸解処理を行うため、高度に耐久性のある製造設備を要求され、その結果、設備投資額が大きくなるという問題があった。
【０００４】
さらに、クラフト法（ＫＰ法）は、パルプ強度面では非常に優れているが、苛性ソーダと硫化ソーダの混合水溶液を用いるため、硫化水素ガスによる臭気対策が必要であり、環境面での多大な設備投資を必要とするという問題があった。
【０００５】
一方、サルファイト法（ＳＰ法）は、高白色度のパルプを生成できることが評価されているが、亜硫酸カルシウム水溶液を用いているため、カルシウム（Ｃａ）ベース故にパルプの原材料チップへの薬液の浸透が悪く、パルプ化可能樹種が限定されてしまうという問題があった。また、生成されるパルプの品質は、パルプに硫酸基が残留し、原料パルプとして用途制限があるという問題があった。さらに、亜硫酸ガス対策と、黒液の処理対策にも多額の投資を要する大型環境設備が必要であるという問題があった。
【０００６】
また、従来、油ヤシに代表される単子葉ヤシ科植物は、パーム油採取を目的として、熱帯地域のプランテーションで多く栽培されている。また、パーム油を採取した後の油ヤシの大半は、焼却廃棄されているという現状がある。一方、パーム油を採取した後の油ヤシをパルプの原材料として利用する方法も考えられている。しかし、油ヤシに代表される単子葉ヤシ科植物の樹幹は非木質の柔組織細胞が多く含まれている。柔組織細胞は、吸水性が良く、パルプ製造工程で使用される薬液を多く吸収するので、製造工程で多量の薬品が必要になり、採算が悪化するという問題があった。
【０００７】
本発明は、斯かる実情に鑑み、１つの高濃度パルパー内で原材料からパルプ生成まで行えるパルプ製造装置等を提供するとともに、上述したクラフト法（ＫＰ法）及びサルファイト法（ＳＰ法）の問題点を解決し、クラフト法パルプに準じた強度と、サルファイト法パルプの高白色度の特徴を兼ね合わせ持つパルプの製造装置等を提供しようとするものである。
【０００８】
また、特に油ヤシに代表される単子葉ヤシ科植物を原料とし、大気圧雰囲気中で、且つクラフト法よりも低い温度環境下でパルプ生成を行うことができる、パルプ製造装置等を提供しようとするものである。
【課題を解決するための手段】
【０００９】
本発明者の鋭意研究により、上記目的は以下の手段によって達成される。
【００１０】
（１）本発明は、硝酸を含む薬液及び苛性ソーダを含む薬液を、この順番でタンク本体に供給する薬液供給装置と、前記タンク本体に設けられ、該タンク本体に満たされた前記硝酸を含む薬液及び前記苛性ソーダを含む薬液の温度を複数段階に制御する液温度制御装置と、前記タンク本体に設けられ、該タンク本体に供給された原材料と前記苛性ソーダを含む薬液に渦流を生成する渦流生成装置と、前記タンク本体の底部近傍に設けられ、次工程処理で使用する前記硝酸を含む薬液及び前記苛性ソーダを含む薬液のいずれかを前記タンク本体に投入する前に、前記タンク本体にすでに供給されている前工程処理で使用した前記硝酸を含む薬液及び前記苛性ソーダを含む薬液のいずれかを排出する薬液排出装置と、を備え、前記タンク本体において、前記硝酸を含む薬液及び前記苛性ソーダを含む薬液による各製造工程をバッチ処理により行い、前記タンク本体内において前記原材料をパルプ化することを特徴とするパルプ製造装置である。
【００１１】
（２）また、本発明は、前記タンク本体に設けられ、前記タンク本体内で発生したガスを回収し、再利用するガス回収装置と、を更に備えることを特徴とする、（１）に記載のパルプ製造装置である。
【００１２】
（３）また、本発明は、前記薬液排出装置には、前記硝酸を含む薬液及び前記苛性ソーダを含む薬液を通過させるが、前記原材料又は生成されたパルプを通過させないストレーナが更に設けられていることを特徴とする、（１）又は（２）に記載のパルプ製造装置である。
【００１３】
（４）また、本発明は、前記ストレーナの穴径は、１．５ｍｍ以上であることを特徴とする、（３）に記載のパルプ製造装置である。
【００１４】
（５）また、本発明は、前記ストレーナの穴径は、１０ｍｍ以下であることを特徴とする、（４）に記載のパルプ製造装置である。
【００１５】
（６）また、本発明は、前記薬液排出装置により排出された前記硝酸を含む薬液及び前記苛性ソーダを含む薬液を、一時的に貯留する貯留タンクと、前記貯留タンクに貯留した前記硝酸を含む薬液及び前記苛性ソーダを含む薬液に含まれる異物を除去する異物除去装置と、前記異物を取り除いた後の前記硝酸を含む薬液及び前記苛性ソーダを含む薬液を、前記タンク本体に再供給する、再利用液供給装置と、を更に備えることを特徴とする、（１）乃至（５）のいずれかに記載のパルプ製造装置である。
【００１６】
（７）また、本発明は、前記タンク本体に設けられ、前記生成されたパルプを前記硝酸を含む薬液及び前記苛性ソーダを含む薬液と分けて排出するパルプ排出用ストレーナがさらに設けられていることを特徴とする、（１）乃至（６）のいずれかに記載のパルプ造装置である。
【００１７】
（８）また、本発明は、前記原材料は、アオイ科フヨウ属の植物、アサ科アサ属の植物、バショウ科バショウ属の植物、その他の非木材の植物であることを特徴とする、（１）乃至（７）のいずれかに記載のパルプ製造装置である。
【００１８】
（９）また、本発明は、前記原材料は、禾本科植物であることを特徴とする、（１）乃至（８）のいずれかに記載のパルプ製造装置である。
【００１９】
（１０）また、本発明は、前記禾本科植物は、単子葉植物ヤシ科の植物、麦藁又はイネ科サトウキビ属の植物であることを特徴とする、（９）に記載のパルプ製造装置である。
【００２０】
（１１）本発明は、タンク本体に、硝酸を含む薬液を供給して原材料に浸透させ、該原材料を多孔質化する酸化工程と、前記硝酸を含む薬液を排出した後、前記タンク本体に、苛性ソーダを含む薬液を供給して前記原材料に浸透させてリグニンを分解するとともに、渦流によって前記原材料同士を接触させることで、多孔質化された前記原材料を解きほぐす蒸解工程と、を少なくとも備えることを特徴とするパルプ製造方法である。
【００２１】
（１２）また、本発明は、前記苛性ソーダを含む薬液を排出した後、前記タンク本体に、苛性ソーダを含む他の薬液を供給して前記原材料の蒸解を促進し、残存リグニンを抽出するとともに、渦流によって前記原材料同士を接触させることで、多孔質化された前記原材料を解きほぐす第２蒸解工程を、更に備えることを特徴とする、（１１）に記載のパルプ製造方法である。
【００２２】
（１３）また、本発明は、単子葉植物ヤシ科の植物を破砕及び選別して繊維状チップを取り出して、前記タンク本体に供給する為の前記原材料を生成する破砕工程を、更に備えることを特徴とする、（１１）又は（１２）に記載のパルプ製造方法である。
【００２３】
（１４）また、本発明は、少なくとも前記酸化工程及び前記蒸解工程は、大気圧雰囲気中で行われることを特徴とする、（１１）に記載のパルプ製造方法である。
【００２４】
（１５）また、本発明は、少なくとも前記酸化工程及び前記蒸解工程は、１０５℃以下の温度下で行われることを特徴とする、（１１）又は（１４）に記載のパルプ製造方法である。
【００２５】
（１６）また、本発明は、前記蒸解工程は、前記タンク本体の中で生成されるパルプの濃度が２〜２０％となるように、前記タンク本体に供給された前記原材料及び前記苛性ソーダを含む薬液の中で、渦流によって前記原材料同士を接触させることで、リグニンを分解して多孔質化された前記原材料を解きほぐすことを特徴とする、請求項１１乃至１５のいずれか１項に記載のパルプ製造方法である。
【００２６】
（１７）本発明は、パルプを生成する原材料及び該原材料に浸透させる薬液を投入するタンク本体と、前記原材料に浸透させた前記薬液から発生するガスを回収するガス回収装置と、前記原材料に浸透させた前記薬液の温度を複数段階で制御する液温度制御装置と、反応済みの薬液を排出するための薬液排出装置と、前記原材料と前記薬液に渦流をおこす渦流生成装置と、生成されたパルプを排出するためのパルプ排出用ストレーナと、を備えることを特徴とする高濃度パルパーである。
【発明の効果】
【００２７】
本発明によれば、１つの高濃度パルパー内で原材料からパルプ生成まで行えるパルプ製造装置等を提供するとともに、特に油ヤシに代表される単子葉ヤシ科植物を原料とし、大気圧雰囲気中で、且つ従来よりも低い温度環境下でパルプ生成を行うことができる、パルプ製造装置等を提供できるという優れた効果を奏し得る。
【図面の簡単な説明】
【００２８】
【図１】第１実施形態に係るパルプ製造装置の概略を示す全体構成図である。
【図２】第１実施形態に係るパルプ製造方法の流れを示すフローチャートである。
【図３】第２実施形態に係るパルプ製造装置の概略を示す全体構成図である。
【図４】第３実施形態に係るパルプ製造装置の概略を示す全体構成図である。
【図５】第４実施形態に係るパルプ製造方法の流れを示すフローチャートである。
【発明を実施するための形態】
【００２９】
以下、本発明の実施の形態を添付図面を参照して説明する。
【００３０】
＜全体構成＞
【００３１】
図１は、本発明の第１実施形態に係るパルプ製造装置１の全体構成が示されている。
【００３２】
パルプ製造装置１は、タンク本体１０と、薬液供給装置２０と、液温度制御装置３０と、渦流生成装置４０と、薬液排出装置５０と、ガス回収装置６０と、を備えて構成されている。なお、本明細書では、タンク本体１０、液温度制御装置３０、渦流生成装置４０、薬液排出装置５０、ガス回収装置６０を含めて、高濃度パルパー１００と言う。
【００３３】
高濃度パルパー１００のタンク本体１０は、内部で効率的に乱流を起こすことができる内容構造を有する箱状の容器である。タンク本体１０の底面１２には、薬液排出装置５０が設けられている。そして、薬液排出装置５０の上側には、渦流生成装置４０が設けられている。また、高濃度パルパー１００のタンク本体１０には、薬液（後述する第１乃至３の薬液）や温水の温度を複数段階で制御するための液温度制御装置３０が設けられ、タンク１０本体の上側には、原材料と薬液の化学反応で発生するガスを回収するガス回収装置６０が設けられている。さらに、高濃度パルパー１００のタンク本体１０には、外部に設けられている薬液供給装置２０から供給される第１乃至３の薬液をタンク本体１０内に導入するための３つの薬液供給管１４Ａ〜１４Ｃ（以下、単に薬液供給管１４と言うことがある）と、温水又は洗浄水を導入するための温水供給管１６Ａ、洗浄水供給管１６Ｂが設けられている。第１乃至３の薬液の詳細は後述する。
【００３４】
なお、高濃度パルパー１００は、蒸解工程において、渦流生成装置４０により、タンク本体１０内部に渦流（乱流）を生成し、パルプ繊維束を離解できるようになっている（詳細は後述）。したがって、高濃度パルパー１００のタンク本体１０は、内部に乱流を効率的に発生させることができる内部構造であることが好ましい。
【００３５】
また、薬液供給管１４は、本実施形態では、第１乃至３の薬液ごとに別々に設けているが、タンク本体１０に導入される薬液供給管１４を１つであっても好ましい。この場合、１つの薬液供給管１４に接続されるとともに、各薬液タンク（後述する、第１乃至３薬液タンク２１〜２５）に接続されている各薬液供給管にバルブを設け、必要な薬液に対応するバルブを開放することによって、第１乃至３の薬液を選択してタンク本体１０に供給することが好ましい。
【００３６】
薬液供給装置２０は、異なる薬液を入れる複数の薬液タンク、温水や洗浄水を入れる温水タンクや洗浄水タンクを備えて構成されている。詳細に、薬液供給装置２０は、硝酸を含む第１の薬液を貯留する第１薬液タンク２１、温水を含む第２の薬液を貯留する第２薬液タンク２３、苛性ソーダを含む第３の薬液を貯留する第３薬液タンク２５、温水を貯留する温水タンク２８、洗浄水を貯留する洗浄水タンク２９から構成されている。
【００３７】
さらに、薬液供給装置２０は、第１乃至３薬液タンク２１〜２５からタンク本体１０に第１乃至３の薬液を誘導する薬液供給管１４Ａ〜１４Ｃ、ポンプ２１Ａ〜２５Ａを備えて構成されている。ポンプ２１Ａ〜２５Ａは、第１乃至３薬液タンクから第１乃至３の薬液を吸い上げ、薬液供給管１４Ａ〜１４Ｃを通して、タンク本体１０に薬液を供給できるようになっている。また、温水タンク２８及び洗浄水タンク２９も同様に、温水供給管１６Ａ、洗浄水供給管１６Ｂが接続され、ポンプ２８Ａ、２９Ａによって、温水や洗浄水をタンク本体１０に供給できるようになっている。
【００３８】
液温度制御装置３０は、電流制御装置３２と、電流制御装置３２に接続された電熱線３４と、熱電対３６から構成されている。電熱線３４は、タンク本体１０内に満たされた薬液を温めることができる位置に配設され、熱電対３６は、タンク本体１０内に満たされた薬液の温度を測定できる位置に配設されている。したがって、電流制御装置３２は、熱電対３６により薬液の液温を検出し、その検出結果に基づいて電熱線３４に流す電流を制御することによって、タンク本体１０内の薬液の温度が所定の設定温度にすることができる。また、電流制御装置３２は、薬液の加熱タイミングや薬液の種類に応じて、薬液の温度を複数段階に調整（制御）できるようになっている。
【００３９】
なお、液温度制御装置３０による薬液の加熱方法は、電熱線３４により加熱する方法に限定されるものではない。例えば、パルプ製造装置やその他の設備において発生した熱（スチーム熱）を再利用しても良く、ガス遠赤外線により加熱する方法を用いても良く、オイルを触媒として、そのオイルを温めることによって加熱しても良い。さらに、電磁誘導による発熱を熱源として用いても良い。もちろん、薬液を加熱するだけでなく、タンク本体１０を冷却水などで冷却するようにしても好ましく、このような冷却手段を設けることによって、より短時間で、精度良く薬液の温度を制御することができる。
【００４０】
次に、渦流生成装置４０は、タンク本体１０内に投入された原材料をせん断しないで、タンク本体１０内に渦流を生成できる渦流生成構造を有する装置である。渦流生成装置４０は、効率的に渦流を生成できる形状に形成された羽根をモータ４２によって回転させることによって、薬液に回転水流（渦流）を発生させるとともに、渦流によって薬液の中で原材料同士を接触させて、互いに絡まっている原材料の繊維を解きほぐすことができる。１例として、渦流生成装置４０の羽根は、中心から外縁方向になだらかに凸状になるように形成されている。渦流生成装置４０の羽根は、略９０度間隔で４か所形成されている。もちろん、羽根の形状は、原材料の繊維を切らず、且つ効率よく解きほぐすことができるものであれば本実施形態の形状に限定されるものではない。
【００４１】
薬液排出装置５０は、タンク本体１０の底面１２に設けられた孔（以下、ストレーナ５２と言う）を備えて構成される。薬液排出装置５０は、少なくとも１つのストレーナ５２を有していれば良いが、例えば、同心円状に複数のストレーナ５２を有していても良い。本実施例では、ストレーナ５２は、渦流生成装置４０と同心円状に８つ形成されている。また、ストレーナ５２は、第１乃至３の薬液により化学反応し難い材質で形成されていることが好ましく、特に耐酸性及び耐アルカリ性などの耐薬品性や温度に対する耐久性が高い材料で形成されていることが好ましい。
【００４２】
渦流生成装置４０は、ストレーナ５２の上側で、任意の間隔Ｌ（例えば、２〜１０ｍｍ）だけ離れ、略平行になるように設けられている。そして、渦流生成装置４０が回転することによって、渦流生成装置４０とストレーナ５２の間に引き込む方向（図１の矢印Ａ方向）に流れる水流が作られる（これをサクション効果と言う）。つまり、渦流生成装置４０を駆動させることによって、使用済みの第１乃至３の薬液を渦流生成装置４０とストレーナ５２の間に引き込み、ストレーナ５２からタンク本体１０の外に排出することができる。
【００４３】
また、ストレーナ５２の孔径は、１．５〜１０．０ｍｍの範囲（原材料チップがストレーナ５２を通過できない孔径）であることが好ましい。ストレーナ５２の孔径をこの範囲に設定することによって、薬液の排出初期の段階では、薬液と混合している原材料のうち、比較的大きい原材料チップがストレーナ５２を通過できずに引っ掛かり、ストレーナ５２の上に次々と堆積して目の大きいフィルターと同様の効果を持つようになる。その後、排出初期段階で作られた大きい原材料チップが堆積したフィルターにより、より小さい原材料チップが引っ掛かってさらに堆積し、最終的には目の細かいフィルターを形成する。この状態になると、ストレーナ５２は、原材料チップで作られる目の細かいフィルターにより原材料チップの排出をほぼ防止し、薬液のみを排出できるようになる。このように、薬液の排出初期段階では、比較的小さな原材料チップは、薬液と一緒に排出されてしまうが、薬液排出の過程で、原材料チップの堆積物からなるフィルターが比較的早い段階で形成され、専用のスクリーンなどを設けなくても、原材料チップの流出を防止できるようになっている。
【００４４】
ガス回収装置６０は、タンク本体１０の上部に設けられ、タンク本体１０内で発生したガスを排出及び回収する装置である。ガス回収装置６０は、排気口６２、排気ダクト６４、ガス回収タンク６６から構成されている。なお、発生ガスは水に溶かして回収し、タンク本体１０に供給する薬液として再利用することが好ましい。具体的には、ガス回収タンク６６に回収されたガスを、スクラバー等で回収し、不純物等を取り除いた後、発生したガスに対応する薬液を貯留している第１、２薬液タンクに戻すようにしても良い。なお、本実施形態では、スクラバーで回収したガスを目的となる濃度になるまで一時的に貯留し、タンク本体１０に直接供給するようにしている。
【００４５】
＜パルプ製造方法＞
【００４６】
次に、本実施形態に係るパルプ製造装置１によるパルプの製造方法について説明する。図２は、パルプの製造方法の流れを示すフローチャートである。
【００４７】
まず、ステップＳ１１０では、破砕工程を行う。油ヤシに代表される単子葉ヤシ科植物（以下、ヤシと言う）の樹幹の場合は、軸方向に輪切り（例えば、軸長さ１５０〜２００ｍｍ）にしたものをハンマーミル等で粉砕する。粉砕した樹幹は、さらに５ｍｍ角程度の格子状の振動スクリーン（ふるい）にかけて、繊維状チップ（原材料チップと言うこともある）と柔組織細胞（木質でない部分）を選別し、繊維状チップのみを取り出す。なお、原材料がヤシの空果房の場合は、柔組織細胞は殆ど含まれていないので、振動スクリーンで柔組織細胞を選別する必要はなく、空果房をハンマーミルで破砕して、そのまま原材料チップとして使用することができる。
【００４８】
また、最終的に生成するパルプの品質を向上させるため、原材料は、同一種類の材料であることが好ましく、可能な限りヤシ科植物の樹幹と空果房は、ハンマーミルで別々に粉砕するのが好ましい。
【００４９】
次に、ステップＳ１１２では、タンク本体１０に温水と硝酸の混合液を供給するとともに、繊維状チップ（又は原材料チップ、以下同じ）を投入して酸化処理（酸化工程）を行う。この硝酸を第１の薬液と言う。詳細に、まず、薬液供給装置２０は、温水タンク２８及び第１薬液タンク２１から、９０℃以上に加熱した温水と、硝酸をタンク本体１０に供給するとともに、ステップＳ１１０で破砕した繊維状チップを投入する。その後、液温度制御装置３０により、第１の薬液の温度を８０〜８７℃の範囲で制御しつつ、酸化反応を行う。処理後の第１の薬液は、薬液排出装置５０から排出される。
【００５０】
なお、温水と硝酸の混合比は、原材料の種類によって異なり、上記に限定されるものではない。
【００５１】
ステップＳ１１４では、煮沸処理（煮沸工程）を行う。詳細に、薬液供給装置２０は、第２薬液タンク２３から、沸騰した温水を含む第２の薬液をタンク本体１０に供給する。そして、液温度制御装置３０により、第２の薬液の温度を９９℃以上で煮沸し、ステップＳ１１２の酸化工程による繊維状チップの酸化反応を促進させるとともに、残存硝酸を蒸散させる。したがって、この煮沸工程により、原材料に付着した残存硝酸を取り除くことができ、洗浄も同時に行うことができる。処理後の第２の薬液は、薬液排出装置５０から排出される。
【００５２】
上述した酸化工程（ステップＳ１１２）、煮沸工程（ステップＳ１１４）により、タンク本体１０内の残存不純物、ゴミや塵及び柔組織細胞を効果的に除去することができる。
【００５３】
ステップＳ１１６では、蒸解処理（蒸解工程）を行う。詳細に、薬液供給装置２０は、第３薬液タンク２５から、苛性ソーダを含む第３の薬液をタンク本体１０に供給する。また、液温度制御装置３０は、タンク本体１０に満たされた第３の薬液を加熱し、９０〜９５℃で温度制御を行い、繊維状チップの蒸解反応（リグニンの分解）を促進する。なお、タンク本体１０に供給される第３の薬液は、予め９５℃以上に加熱されていることが望ましく、このようにすることによって、蒸解反応の反応時間を短縮することができる。
【００５４】
また、この蒸解工程では、上述した第３の薬液による繊維状チップの蒸解と共に、渦流生成装置４０を駆動して薬液の中で過流を生成し、繊維状チップを構成する繊維質を生成された渦流によって解きほぐす。この時、タンク本体１０に投入される繊維状チップの量は、生成されるパルプの濃度が２〜２０％（重量％）の範囲であることが好ましい。これによって、渦流によるパルプ同士の接触によるせん断力を利用し、パルプ繊維の解離を効果的に行えるとともに、蒸解におけるセルローズの損傷を最小限にすることができる。
【００５５】
また、上述した、酸化工程（ステップＳ１１２）、煮沸工程（ステップＳ１１４）、蒸解工程（ステップＳ１１６）の各工程は、少なくとも１０５℃以下の温度環境下で行われることが好ましい。
【００５６】
その後、反応済みの第３の薬液（黒液と言う）は、薬液排出装置５０から排出される。
【００５７】
上述した、酸化工程（ステップＳ１１２）〜蒸解工程（ステップＳ１１６）により、繊維状チップからパルプが生成される。
【００５８】
そして、ポンプ２９Ａを駆動して、洗浄水タンク２９から洗浄水等をタンク本体１０に供給した後、ストレーナ５２のバルブ（図示省略）を開き、生成されたパルプをポーチャー等のパルプ貯留タンク（図示省略）に移動させる。
【００５９】
その後、生成したパルプを希釈させ、更に洗浄しＰｈをコントロールする洗浄工程、パルプに含まれる異物やゴミを分離して除去する精選工程（一次精選、二次精選）、パルプの繊維を離解させる離解行程、パルプ中の着色成分を脱色、又は分解、除去する漂白工程を行い、より高品質なパルプが生成される。
【００６０】
上述したように、パルプ製造装置１は、原材料チップを酸化、煮沸、蒸解するために用いられる第１乃至３の薬液を、この順番でタンク本体１０に供給する薬液供給装置２０と、タンク本体１０に供給された薬液ごとに温度を複数段階に制御する液温度制御装置３０と、少なくとも第３の薬液と混合した原材料チップに渦流を生成する渦流生成装置４０と、タンク本体１０の薬液を次行程の薬液供給前に排出する薬液排出装置５０を備えている。これによって、同一のタンク（タンク本体１０）内で、バッチ処理により原材料チップをパルプに生成することができ、パルプ製造設備の簡素化や小型化、さらに低コスト化を図ることができる。
【００６１】
また、タンク本体１０の上側には、薬液と原材料チップが反応して発生したガスを、タンク本体１０の外に排気して回収するガス回収装置６０が設けられている。ガス回収装置６０は、発生したガスを水に溶かして回収する構造となっている。これによって、タンク本体１０から発生したガスを水に溶かして迅速に回収できるとともに、回収したガスが溶融した目的の濃度の水溶液を薬液として再利用することができる。
【００６２】
また、ストレーナ５２の孔径は、原材料チップの大きさの平均値のよりも小さく設定する。これによって、排出初期は、薬液とともにストレーナ５２から排出される原材料チップの中で大き目の原材料チップがストレーナ５２に堆積し、徐々に小さ目の原材料チップも堆積し、最終的にストレーナ５２の開口部に原材料チップが堆積してできたフィルターが形成されるようになっている。つまり、ストレーナ５２には、フィルターを設けなくても、原材料チップが排出されながらフィルターを形成し、薬液は排出するが原材料チップは排出しないようになっている。
【００６３】
また、原材料は、禾本科植物であることが好適である。禾本科植物を破砕して作った繊維状チップをパルプ製造装置１により、同一タンク内で容易にパルプ化することができる。
【００６４】
また、原材料の禾本科植物は、特に油ヤシに代表される単子葉植物ヤシ科であることが好適である。ヤシ科の植物は、木質が大半を占める空果房と、非木質である柔組織細胞が約３５〜４５％を占める樹幹がある。本実施形態のパルプ製造装置１は、破砕工程で樹幹から柔組織細胞を略取り除いて（９０％以上）、木質部でアスペクト比２０〜４００となる繊維状チップ（例えば、直径０．５ｍｍ×長さ２００ｍｍ（アスペクト比４００）の繊維状チップ）を選別してパルプの原材料としてタンク本体１０に供給できるので、従来難しかったヤシ科植物の樹幹を、簡単な工程でパルプの原料とすることができる。
【００６５】
なお、原材料となる禾本科植物は、上述した単子葉植物ヤシ科の植物に限定されるものではなく、例えば、麦藁、イネ科サトウキビ属の植物でも好ましい。
【００６６】
また、パルプの原材料は、非木質であっても好ましい。例えば、ケナフに代表されるアオイ科フヨウ属の植物、麻に代表されるアサ科アサ属の植物、バナナに代表されるバショウ科バショウ属の植物であっても好ましい。
【００６７】
また、本実施形態では、蒸解工程（ステップＳ１１６）において、渦流生成装置４０を用いて、タンク本体１０内に渦流を生成し、第３の薬液の中で原材料の繊維束を離解するようにしているが、酸化工程（ステップＳ１１２）、煮沸工程（ステップＳ１１４）においても、タンク本体１０内に渦流を発生させるようにしても好ましい。
【００６８】
また、パルプ製造方法は、繊維状チップと酸化反応して多孔質化させる第１の薬液を、タンク本体１０内の繊維状チップに浸透させる酸化工程と、湯水を含む第２の薬液を、タンク本体１０内の繊維状チップに浸透させて煮沸して酸化反応を促進させる煮沸工程を備えている。パルプ製造方法は、さらに、酸化工程及び煮沸工程により多孔質化した繊維状チップに苛性ソーダを浸透させるとともに、渦流によって繊維状チップの繊維を解きほぐす蒸解工程を少なくとも備えている。これによって、１つのタンク本体１０内で、原材料となる繊維状チップからパルプを生成できるので、低温蒸解で、さらに蒸解時間を短縮できるとともに、製造設備自体を小型化することができる。
【００６９】
また、本実施形態に係るパルプ製造方法は、原材料を破砕する破砕工程を備えている。つまり、特に原材料が油ヤシに代表される単子葉植物ヤシ科の植物の樹幹を使用する場合、樹幹を破砕して、柔組織細胞を選別除去した後の繊維状チップのみを取り出して原材料とするので、従来パルプの原料としては極めて使用し難かった、ヤシ科植物の樹幹を簡単な工程でパルプの原料にすることができる。
【００７０】
また、上述したパルプ製造方法の、少なくとも酸化工程（ステップＳ１１２）、煮沸工程（ステップＳ１１４）、蒸解工程（ステップＳ１１６）は、大気雰囲気中で行われる。したがって、特別な加圧装置や、気密を保ったタンクの中で各処理する必要がなく、パルプ製造装置自体を小型化、低コストにすることができるとともに、安全性の向上と、装置寿命を向上させることができる。
【００７１】
また、上述したパルプ製造方法の、少なくとも酸化工程（ステップＳ１１２）、煮沸工程（ステップＳ１１４）、蒸解工程（ステップＳ１１６）は、１０５℃以下の温度環境下で行われる。したがって、装置の耐熱寿命を延ばすことによって、装置の信頼性を向上させることができる。
【００７２】
また、本実施形態におけるパルプ製造方法では、煮沸工程（ステップＳ１１４）における第２の薬液の温度を９９℃以上にしている。これによって、タンク本体１０や繊維状チップに付着した残存硝酸を確実に蒸散することができる。
【００７３】
また、本実施形態におけるパルプ製造方法では、蒸解工程（ステップＳ１１６）において、生成されるパルプ濃度が２〜２０％（重量％）となる、第３の薬液と繊維状チップの混合液の中で渦流を生成して、繊維状チップの繊維同士を接触させる。これによって、渦流の中における繊維同士の接触によるせん断力により、繊維が切れることなく、パルプの繊維どうしが接触し合いながら解きほぐれ、蒸解を短時間で行えるとともに、生成されるパルプの品質を向上させることができる。
【００７４】
次に、第２実施形態に係るパルプ製造装置について説明する。図３は、第２実施形態に係るパルプ製造装置２の全体構造図である。パルプ製造装置２は、処理済みの第１乃至３の薬液を貯留タンク７０に一時的に貯留し、異物除去装置８０によって各薬液の不純物を取り除いた後、再利用液供給装置９０を介して薬液供給装置２０に戻すことによって、第１乃至３の薬液を再利用できることころに特徴がある。なお、タンク本体１０、薬液供給装置２０、液温度制御装置３０、渦流生成装置４０、薬液排出装置５０、ガス回収装置６０については、第１実施形態と同じ構造、機能を持つものであるので、同じ番号を付し、詳細な説明は省略する。
【００７５】
貯留タンク７０は、薬液排出装置５０の排出側に接続され、タンク本体１０から排出された薬液を溜めることができる。異物除去装置８０は、貯留タンク７０と管７２で接続されている。また、管７２には、開閉バルブ（図示省略）が設けられており、開閉バルブを開放することによって、貯留タンク７０に溜められた薬液を異物除去装置８０に移すことができる。さらに、異物除去装置８０には、再利用液供給装置９０が接続されている。再利用液供給装置９０は、異物除去装置８０で異物除去処理がされた第１乃至３の薬液を、対応する第１乃至３薬液タンクに導くための管９１〜９５、異物除去後の薬液をどの管９１〜９５に流すかを選択するための開閉バルブ９１Ａ〜９５Ａを備えて構成されている。つまり、異物除去装置８０は、いずれかの開閉バルブ９１Ａ〜９５Ａを開放することによって、異物が除去された薬液を対応する第１乃至３薬液タンク２１〜２５に戻すことができる。なお、本実施形態のように、異物除去装置８０に接続されている再利用液供給装置９０は、第１乃至３薬液タンク２１〜２５に接続し、処理済みの薬液を第１乃至３薬液タンク２１〜２５に戻す構造に限定されるものではない。例えば、再利用液供給装置９０（具体的には、管９１〜９５）をタンク本体１０に接続し、必要な処理タイミング（例えば、第１乃至３の薬液の順番）で、異物除去後の薬液をタンク本体１０に直接供給するようにしても好ましい。
【００７６】
上記の構造によって、高濃度パルパー１００のタンク本体１０で処理された第１乃至３の薬液は、薬液排出装置５０によって排出された後、薬液排出装置５０と接続されている貯留タンク７０に溜められる。そして、貯留タンク７０の処理済みの薬液は、任意のタイミング（例えば、異物除去装置８０において、前回の処理で使用した処理済みの薬液中の異物を除去し終わった後）に、管７２を通して異物除去装置８０に移される。
【００７７】
異物除去装置８０では、例えば、振動スクリーンやストレーナなどを通すことによって、処理済み薬液中の異物や不純物を除去する。そして、再利用液供給装置９０の開閉バルブ９１Ａ〜９５Ａを開くことによって、異物等を取り除いた薬液を対応する第１乃至３薬液タンク２１〜２５に戻すことができる。薬液を第１乃至３薬液タンク２１〜２５に戻した後、再利用液供給装置９０の開閉バルブ９１Ａ〜９５Ａは閉じられる。そして、貯留タンク７０、異物除去装置８０に、洗浄水や温水が供給され、排出口（図示省略）から排出される。これによって、前回処理で、貯留タンク７０や異物除去装置８０に付着した薬液を洗い流すことができる。
【００７８】
第２実施形態では、上記のように、薬液排出装置５０により排出された第１乃至３の薬液を、一時的に貯留する貯留タンク７０、貯留タンク７０に貯留した第１乃至３の薬液に含まれる異物を除去する異物除去装置８０、異物を取り除いた後の第１乃至３の薬液を、この順番でタンク本体１０に再供給する、再利用液供給装置９０を備える構造とした。したがって、処理済みの第１乃至３の薬液を再利用することができるので、薬液の全体としての使用量を少なくできるとともに、処理済みの薬液を廃棄するための手間とコストの削減ができる。
【００７９】
次に、第３実施形態に係るパルプ製造装置について説明する。図４は、第３実施形態に係るパルプ製造装置３の全体構造図である。パルプ製造装置３は、蒸解工程で生成されたパルプを高濃度パルパー１００のタンク本体１０から排出するための、パルプ排出用ストレーナ１１０をタンク本体１０に設けたところに特徴がある。なお、タンク本体１０、薬液供給装置２０、液温度制御装置３０、渦流生成装置４０、薬液排出装置５０、ガス回収装置６０については、第１実施形態と同じ構造、機能を持つものであるので、同じ番号を付し、詳細な説明は省略する。
【００８０】
本実施形態に係る高濃度パルパー１００のタンク本体１０には、生成されたパルプを排出するための、パルプ排出用ストレーナ１１０（スクリーン）が設けられている。また、パルプ排出用ストレーナ１１０には、開閉バルブ１１２が設けられており、開閉バルブ１１２を開放した場合に生成されたパルプをタンク本体１０から排出して、次行程のタンクには移動できるようになっている。換言すると、パルプ排出用ストレーナ１１０は、生成されたパルプをパルプ排出用ストレーナ１１０から排出するか否かを選択できるようになっており、例えば、通常は薬液排出装置５０から生成パルプを排出し、薬液排出装置５０から排出されないような大きなパルプ塊がある場合には、パルプ排出用ストレーナ１１０から排出するようにしても良い。
【００８１】
パルプ排出用ストレーナ１１０（スクリーン）は、直径１．５〜１０．０ｍｍの孔が設けられている。従って、第１実施形態で説明した酸化工程（ステップＳ１１２）〜蒸解工程（ステップＳ１１６）でパルプを生成した後、開閉バルブ１１２を開放することによって、生成されたパルプを別のタンクに移動できるようになっている。
【００８２】
したがって、パルプ排出用ストレーナ１１０を設けたことによって、第３実施形態に係るタンク本体１０は、第１乃至３の薬液と生成されたパルプを分けて排出できる。つまり、第１乃至３の薬液を排出する薬液排出装置５０には、生成したパルプを通過させないフィルターを設け、薬液だけを通し、生成されたパルプは、薬液とは別にパルプ排出用ストレーナ１１０から排出することがでる。したがって、第２実施形態で説明した、貯留タンク７０に排出される処理済みの薬液に混入する異物や不純物を少なくすることができ、異物除去装置８０の負担を減らし、又は、異物除去装置８０を削除することができ、設備の簡素化、設備、製造コストの削減を行うことができる。
【００８３】
なお、タンク本体１０に、未蒸解パルプを採取する未蒸解パルプ採取装置を設けるようにしても好ましい。詳細に、未蒸解パルプ採取装置は、パルプ排出用ストレーナ１１０に設けられた金網部材である。上述したパルプ排出用ストレーナ１１０からパルプを排出する際、この金網部材に、蒸解が十分に行われていないパルプ（未蒸解パルプ）が引っ掛かるようになっている。採取された未蒸解パルプを再度タンク本体１０に投入して再蒸解を行うことにより、パルプの収率を向上させることができる。もちろん、未蒸解パルプ採取装置は、上述した薬液排出装置５０のストレーナ５２に設けても好ましい。
【００８４】
また、図５に示されるように、原材料が木質の場合は、ステップＳ１１０Ａの一次破砕工程の後、更に二次破砕工程（ステップＳ１２０）により繊維状チップに移行することが好ましく、ステップＳ１１６の蒸解工程の後、第２の蒸解工程（ステップＳ１３０）を行うように構成しても好ましい。図５は、第４実施形態に係るパルプ製造方法の流れを示すフローチャートである。なお、一次破砕工程（ステップＳ１１０Ａ）は、第１実施形態で説明した破砕工程（ステップＳ１１０）と同様の工程であるので、詳細な説明は省略する。また、酸化工程（ステップＳ１１２）、煮沸工程（ステップＳ１１４）、蒸解工程（ステップＳ１１６）については、第１実施形態で説明した各工程と同じ処理内容、効果であるので、同じステップ番号を付し、詳細な説明は省略する。
【００８５】
ステップＳ１１０Ａでは、原材料を破砕して、繊維状チップ（又は原材料チップ、以下同じ）を取り出す破砕処理（一次破砕工程）を行う。
【００８６】
ステップＳ１１２では、二次破砕後の繊維状チップを、任意の濃度の硝酸液に浸漬し、８０〜８７℃の温度で酸化させる（酸化処理）。その後、硝酸液をタンク本体１０から排出する。
【００８７】
ステップＳ１１４では、酸化処理後の繊維状チップを沸騰した温水に浸漬し、酸化反応の促進と残存硝酸の蒸散を行う（煮沸工程）。その後、熱水をタンク本体１０から排出する。
【００８８】
ステップＳ１１６では、タンク本体１０の繊維状チップに苛性ソーダを供給し、９０〜９５℃の温度で蒸解を行い（蒸解工程）つつ、渦流生成装置４０によりタンク本体１０内の薬液に渦流を生成することによって、薬液の中の繊維状チップ同士を接触させながら、繊維状チップの繊維を解きほぐしてパルプを生成する。その後、苛性ソーダをタンク本体１０から排出する。
【００８９】
ステップＳ１３０では、蒸解後の繊維束に、更に第４の薬液となる苛性ソーダを供給し、沸騰状態で蒸解を行い（第２蒸解工程）つつ、上述と同様に、薬液の中の繊維束を接触させながら、繊維を解きほぐしてパルプを生成する。第２の蒸解工程では、比較的濃度の高い苛性ソーダ（重量濃度８〜１０％）溶液で繊維束を蒸解することが好ましい。蒸解温度や時間の目安としては、収率等を考え、Ｋ-値測定結果で判断するのが良い。その後、苛性ソーダと生成されたパルプをタンク本体１０から排出する。
【００９０】
上述のように、第２の蒸解工程（ステップＳ１３０）は、２０％以上のリグニンを含有している木質を原材料とする場合に、含有リグニンを段階的に取り除くのに特に有効であり、リグニン含有量が２０％以下の場合には、１回の蒸解工程（ステップＳ１１６）だけでも良い。
【００９１】
この後、第１実施形態と同様に、高濃度パルパー１００から排出されたパルプを希釈させる希釈行程、パルプに含まれる異物やゴミを分離して除去する精選工程（一次精選、二次精選）、パルプの繊維を離解させる離解行程、パルプ中の着色成分を脱色、又は分解、除去する漂白工程を行い、より高品質なパルプが生成される。
【００９２】
また、本発明の実施形態に記載された作用および効果は、本発明から生じる最も好適な作用および効果を列挙したに過ぎず、本発明による作用および効果は、本発明の実施例に記載されたものに限定されるものではない。
【産業上の利用可能性】
【００９３】
本発明に係るパルプ製造装置、パルプ製造方法及び高濃度パルパーは、油ヤシに代表される科本科植物をパルプ化するパルプ製造装置等へ適用することができる。
【符号の説明】
【００９４】
１    パルプ製造装置
１０  タンク本体
２０  薬液供給装置
３０  液温度制御装置
４０  渦流生成装置
５０  薬液排出装置
６０  ガス回収装置
１００  高濃度パルパー
【図１】
2011001677.tif 000003
【図２】
2011001677.tif 000004
【図３】
2011001677.tif 000005
【図４】
2011001677.tif 000006
【図５】
2011001677.tif 000007